(57)【特許請求の範囲】
【請求項１】
物体の２次元または３次元の位置調整のための、試料の空間的な高解像度の蛍光顕微鏡検査法のための高解像度顕微鏡であって、該試料はマーキング分子によってマーキングされており、該マーキング分子は、信号によって、活性化可能であり、即ち励起可能な状態に切り替え可能であり、該マーキング分子は、活性化された状態で、即ち切り替えられた状態で、初めて蛍光ビームの放出のために励起可能であり、その際この方法は、
１）試料中に存在するマーキング分子のただ１つのサブセットだけが活性化されるよう試料に信号を与えるステップであって、その際試料に部分領域が存在し、その中で活性化されたマーキング分子が最も近くで隣接した活性化されたマーキング分子に対して少なくとも１つの間隔を空けており、この間隔の大きさがあらかじめ定められた光学解像度から生じた長さより大きいかまたは同じである、前記試料に信号を与えるステップと、
２）活性化された分子を励起して蛍光ビームを放出するステップと、
３）あらかじめ定められた光学解像度を使用して蛍光ビームを検出するステップと、
４）ステップ３）で記録した蛍光ビームから単一画像を生成するステップであって、その際蛍光ビームを放出するマーキング分子の幾何学的位置が、あらかじめ定められた光学解像度によって高められた空間解像度を使用して算出される、前記単一画像を生成するステップと
を含み、その際Ｚ方向における検出の分割によるマルチレベル検出が、
結像ビーム路内にアナモルフィックレンズが配置されているか、または少なくとも１つのビームスプリッタが検出ビーム経路を少なくとも２つの部分ビーム経路に分割するために備えられており、該部分ビーム経路が検出レベル中で互いに空間的にずれていること、
活性化源、即ち励起可能な状態に切り替える切り替え源として、非線形試料励起のためのショートパルスレーザが備えられていること、
ショートパルスレーザによる非線形励起のための点スキャナまたはラインスキャナが備えられていること
試料を励起するために広視野照明を行うレーザが備えられていること
によって行われ、
前記点スキャナまたは前記ラインスキャナ、および前記ショートパルスレーザによって試料の非線形励起が行われ、前記レーザを用いた広視野照明よって非線形励起された試料の蛍光励起が行われる、高解像度顕微鏡。
【請求項２】
ａ）試料範囲を選択的に活性化する、即ち励起可能な状態に切り替えるための手段を備えられていること、
ｂ）非線形励起は２光子励起であること、
ｃ）選択的に活性化する、即ち励起可能な状態に切り替えるための手段がＡＯＴＦ、ＳＬＭまたはＤＭＤであること、
ｄ）試料を励起するために広視野照明および広視野照明検出が備えられていること、
ｅ）テレスコピックビーム路内で分割されたビーム成分が画像レベル内または試料内で統合されること、
ｆ）多光子の励起可能な状態への切り替え、即ち活性化のためにマイクロレンズアレイが備えられていること、
ｇ）ラインスキャンする装置が励起可能な状態への切り替え、即ち活性化のためにおよび励起のために備えられていること、
ｈ）ライン検出のために空間分解センサが備えられており、その際スリット絞りが、それぞれ複数のセンサ列から成る少なくとも２つのセンサ列が試料光によって照らされるように開かれていること、
ｉ）センサが隣り合って、または連結されて、または４５度の配置で備えられていること、
ｊ）顕微鏡のために画像スプリッタ装置が備えられていること
の特徴のうちの少なくとも１つを有する、請求項１に記載の高解像度顕微鏡。
【請求項３】
光学的経路長を延長する、試料から来ている検出光の少なくとも第２の部分が検出ビーム経路から隠され、および検出ビーム経路への偏向手段を介して、少なくとも第２の検出ビーム経路内に導かれる、請求項１又は２に記載の高解像度顕微鏡。
【請求項４】
前記検出光の少なくとも前記第２の部分が、別の偏向手段を介して検出の方向に、面レシーバ上に隣り合って少なくとも２つの部分領域に検出光が当てられるように方向を戻される、請求項３に記載の高解像度顕微鏡。
【請求項５】
検出光の少なくとも第２の部分が、少なくとも部分的に光学的経路長を延長するために、光学的要素内で、第１の検出ビーム経路に対して高められた光学的密度で伸びる、請求項１乃至４のいずれか１項に記載の高解像度顕微鏡。
【請求項６】
前記光学的要素が第１の検出ビーム経路の光学軸に対して垂直に、光学的経路長を調整するために、スライド可能に形成されており、少なくともその入光側および出光側に平坦な面を備えている、請求項５に記載の高解像度顕微鏡。
【請求項７】
少なくとも第２の検出ビーム経路内で第１のビーム偏向の後ろにプリズムが、第１の検出ビーム経路に対して平行に、経路長の延長方向に偏向するためにおよび向きを戻すために備えられている、請求項１乃至６のいずれか１項に記載の高解像度顕微鏡。
【請求項８】
前記プリズムが、前記第２の検出ビーム経路の平行な部分によって通り抜けられ、および光学的経路長の調整のために光学軸に対して垂直にスライド可能であるよう形成される、請求項７に記載の高解像度顕微鏡。
【請求項９】
試料から検出器へのテレセントリックビーム路を備えている、請求項１乃至８のいずれか１項に記載の高解像度顕微鏡。
【請求項１０】
部分的に透明なミラーおよび偏向要素を介して４つの検出ビーム経路への分割が行われ、該検出ビーム経路が互いにずらされて１つまたは複数の検出器上に当たり、その際、３つの部分的に透明なミラーおよび３つの偏向要素が、分割のために備えられており、および該部分的に透明なミラーが、伝送されたビームと反射されたビームとの間の分割比率２５／７５、６６／３３、および５０／５０を有している、請求項１乃至９のいずれか１項に記載の高解像度顕微鏡。
【請求項１１】
物体の２次元または３次元の位置調整のための、試料の空間的な高解像度の蛍光顕微鏡検査法のための方法であって、該試料はマーキング分子によってマーキングされており、該マーキング分子は、信号によって、活性化可能であり、即ち励起可能な状態に切り替え可能であり、該マーキング分子は、活性化された状態で、即ち切り替えられた状態で初めて蛍光ビームの放出のために励起可能であり、その際この方法は、
１）試料中に存在するマーキング分子のただ１つのサブセットだけが活性化されるよう試料に信号を与えるステップであって、その際試料に部分領域が存在し、その中で活性化されたマーキング分子が最も近くで隣接した活性化されたマーキング分子に対して少なくとも１つの間隔を空けており、この間隔の大きさがあらかじめ定められた光学解像度から生じた長さより大きいかまたは同じである、前記信号を与えるステップと、
２）活性化された分子を励起して蛍光ビームを放出するステップと、
３）あらかじめ定められた光学解像度を使用して蛍光ビームを検出するステップと、
４）ステップ３）で記録した蛍光ビームから単一画像を生成するステップであって、その際蛍光ビームを放出するマーキング分子の幾何学的位置が、あらかじめ定められた光学解像度によって高められた空間解像度を使用して算出されている、前記単一画像を生成するステップと
を含み、その際Ｚ方向における検出の分割によるマルチレベル検出が、
結像ビーム路内にアナモルフィックレンズが配置されているか、または少なくとも１つのビームスプリッタにより、検出ビーム経路が少なくとも２つの部分ビーム経路に分割され、その際該部分ビーム経路が互いに空間的にずれていること、
活性化、即ち励起可能な状態への切り替えを、非線形試料励起のためのショートパルスレーザによって行うこと、該活性化、即ち励起可能な状態への切り替えを、点状またはライン状にスキャンしながら行うこと、活性化された試料、即ち励起可能な状態に切り替えられた試料の蛍光励起を、レーザを用いた広視野照明によって行うこと
によって行われる、高解像度顕微鏡法。
【請求項１２】
ａ）試料範囲の選択的な活性化、即ち励起可能な状態への切り替えを行うこと、
ｂ）非線形励起は２光子励起であること、
ｃ）選択的に活性化する、即ち励起可能な状態に切り替えるための手段がＡＯＴＦ、ＳＬＭまたはＤＭＤであること、
ｄ）試料を励起するために広視野照明および広視野照明検出が備えられていること、
ｅ）テレスコピックビーム路内で分割されたビーム成分が画像レベル内または試料内で統合されること、
ｆ）多光子の励起可能な状態への切り替え、即ち活性化のためにマイクロレンズアレイが備えられていること、
ｇ）ラインスキャンする装置が励起可能な状態への切り替え、即ち活性化のためにおよび励起のために備えられていること、
ｈ）ライン検出のために空間分解センサが備えられており、その際スリット絞りが、それぞれ複数のセンサ列から成る少なくとも２つのセンサ列が試料光によって照らされるように開かれていること、
ｉ）センサが隣り合って、または連結されて、または４５度の配置で備えられていることの特徴のうちの少なくとも１つを有する、請求項１１に記載の高解像度顕微鏡法。
【発明の詳細な説明】
【技術分野】
【０００１】
本発明は、物体の２次元または３次元の位置調整のための高解像度顕微鏡および方法に関する。
【背景技術】
【０００２】
原理的に光学顕微鏡では、またＬＳＭでも、その光学解像度には物理法則により回折限界がある。この限界内での最適な解像度を得るため、専用の照明構成、例えば４Ｐｉ配列または定在波野を備えた配列が公知である。これにより解像度は、従来のＬＳＭと比べて特に軸方向に改善される。
【０００３】
非直線デポピュレーションプロセスを使用することで、解像度を回折限界がある共焦点ＬＳＭと比べてさらに向上させることができる。このような方法は、例えば特許文献１に記述されている。デポピュレーションプロセスのためのさまざまなアプローチが公知であり、例えば特許文献２、特許文献３または特許文献４に記述されている。
【０００４】
近年蛍光顕微鏡検査法での回折限界を克服するために、さまざまな方法が開発され、使用されている（ＰＡＬＭ構成照明、特許文献５、特許文献６）。
現在、特に有利な、高解像度の蛍光顕微鏡検査法のために開発された方法は、個々の分子の高精度定位をベースにしている。個々の蛍光を発する分子の定位、つまり位置特定は、回折制限の影響を受けないことが公知である。
【０００５】
この位置特定は、十分な分子の光子が検出され得る場合、精度がｎｍ範囲の広視野の高感度カメラを使用して行うことができる。定位ベースの、高解像度の顕微鏡では、こうして得られた分子ポジションから画像が構成される。ここで重要なことは、常に試料の分子のサブセットだけが蛍光を発する状態にあり、その結果平均して「直近の隣」の活性分子の距離が、常に顕微鏡のＰＳＦ（点像分布関数、Ｐｏｉｎｔ  Ｓｐｒｅａｄ  Ｆｕｎｋｔｉｏｎ）より大きい。これが光学的または化学的に切り替え可能な蛍光色素分子によって達成された場合：密にマーキングされた試料の範囲を、適切な変換波長を照射することによって、蛍光色素分子の確率的サブセットが観察範囲で蛍光を発する状態に切り替えられる。その際スポットの密度は、分子ポジションの連続的な定位が可能なように調整される。この光学的切り替え法は、例えばＰｈｏｔｏ  Ａｃｔｉｖａｔｅｄ  Ｌｏｃａｌｉｚａｔｉｏｎ  Ｍｉｃｒｏｓｃｏｐｙ（ＰＡＬＭ、活性定位顕微鏡）に使用される。この基本的な方法にはさまざまなバリエーションがあり、参考文献に記述されている（非特許文献１から６）。
【０００６】
高解像度の方法（ＰＡＬＭ、ＳＴＯＲＭ、Ｄ−ＳＴＯＲＭなど）はここでは主として蛍光色素分子の選択および光学的切り替えプロセスの種類によって異なる、
しかしすべての方法に共通しているのは、高感度（例えばＥＭＣＣＤ）カメラ上に結像することによる分子の定位である。ほぼ点形状の光源（分子）がその際顕微鏡の点像分布関数（ＰＳＦ）によって複数のカメラピクセル上に写し取られる。ｘ／ｙ面上の分子の正確な位置は、ここで既知のＰＳＦ（ガウス）を適合することにより、または重心特定により、または両方の混合により（ガウスマスク）特定される（文献、他のアルゴリズムを引用）。
【０００７】
典型的な定位精度は、（実験条件に応じて）５から３０ｎｍである；これはこの方法のほぼ横向きの解像度でもある。
実用的には、一方で分子が密には並んでいないこと、検査する構造が可能な限り完全に再現されること、他方で試料の多数の個別画像（典型的には１００００から２００００）を撮影されなければならない、という要求を意味する。
【０００８】
これにより、少なからぬ画像撮影時間が必要になり、特に試料乃至関心のある構造が非常に不均質にマーキングされている場合に切り替え強度の調整時の問題が生じる：情報を失わないようにするため切り替え強度は常に最も密度が高くマーキングされている試料範囲に適合されなければならない。
【０００９】
基本的に、上述の定位ベースの高解像度の方法では、表面上にまたは２次元に限定される。なぜなら個々の色素分子の定位は第３の空間方向（ｚ方向）において比較にならぬほど複雑だからである。構造を再現するために撮影するべき個別分子の数は、３次元においては相応に増加する。
【００１０】
さらなる問題は、３次元高解像度の結像が試料の奥行きにおいて制限されたレンズの焦点深度内にあることである：従来型の蛍光顕微鏡検査法およびレーザ走査顕微鏡で公知のように、励起ビームの散乱が試料の奥行きにおいて増加すると、背景信号が高くなり、同時に本来の使用信号が減少する。
【００１１】
さらに焦点平面外で生じる試料範囲の望ましくない光退色は、ＰＡＬ−Ｍ方法では、試料の奥行きにおいて蛍光色素分子の望ましくない切り替えが活性化ビームによって現在測定していない層に加わることでも起こる。
【００１２】
従来技術では一般的な前提条件は、３次元高解像度の蛍光結像が高いレンズの焦点深度および「セクショニング」（つまり励起／退色を防止することによる層の測定、および特にその上またはその下にある層へのフォト変換可能な蛍光色素分子の切り替え）および、撮影速度のスピードアップである。
本発明の要約
本発明により、３次元の解像度を高めた顕微鏡が以下の有利な技術と装置、以下に詳細に記述した装置および方法の相乗効果によって実現されることがわかった。
分子の軸方向の（Ｚ−）ポジションの高解像度の特定：
非点収差／円柱レンズ（非特許文献９）
このアプローチでは、検出ビーム経路内には弱い円柱レンズが入れられ、この円柱レンズは非点収差のＰＳＦをもたらす。これに応じて、分子がＰＳＦの対称点の下または上にあるとき分子の画像が楕円形にひずむ。オリエンテーションおよびひずみの強さから、分子のｚポジション情報が抽出される。
【００１３】
発明に従い有利には、アナモルフィックレンズ（円柱レンズ）が、垂直の分子ポジションの特定のために形状認識および／または寸法認識によって取り付けられ、以下の方法および装置を使って顕微鏡が実現される。
２つの平面の検出（バイプレイン検出）（トプラク（Ｔｏｐｒａｋ）ら、ベワースドルフ（Ｂｅｗｅｒｓｄｏｒｆ）ら（非特許文献７、８））
ここでは５０／５０ビームスプリッタが検出ビーム経路内に挿入される。この検出ビーム経路は画像を２つの部分画像に分割する（コピーを作る）。この２つの画像は、２つの同一のカメラまたは並んで１つのカメラチップに写し取られる。２つの部分ビーム経路のうちの１つの中に、２つの部分ビーム経路から２つの物体レベルが生じるように光路長差違が導入され、この物体レベルはｚ−ＰＳＦ（７００ｎｍ）の約半分だけｚ方向に離れてある。これら両方の平面の間にある分子のｚポジションは、例えば分子２つの部分画像の減法により、乃至３次元のＰＳＦまたは同等アルゴリズムの適用でもたらされる。
【００１４】
検出ビーム経路の分割、および複数のビーム経路内での複数の蛍光色素分子のための、色選択的に使用され光路長が相違している分割されたビーム経路の検出のずれが、そのほかの発明に従った方法および装置と共に顕微鏡内に実現される。
レンズの焦点深度：多光子の顕微鏡
多光子顕微鏡の従来技術、特に２光子（２Ｐ）励起およびその利点は、目的に合わせてその他の記述された発明に従った方法および装置に使用される。
２Ｐ切り替え変換可能な色素
２Ｐ励起の可能な方法は、典型的な蛍光励起のための公知の色素だけでなく、原理的に切り替え移行のためのいわゆる切り替え可能な蛍光色素分子または光電スイッチにもある。その際これは蛍光色素分子であり、切り替え波長の照射により、初期状態に応じて、蛍光を発するまたは蛍光を発しない状態に処理され得る（ＰＡＬＭ、ＳＴＯＲＭなど参照）。その際、切り替え波長も励起波長と同じであってよい。そのような光電スイッチは、上述の高解像度方法に不可欠である。
【００１５】
さまざまな刊行物（非特許文献１０）で、いくつかの切り替え可能な蛍光色素分子が２光子励起でも切り替えられることが報告されている。例えばＰｒｏｔｅｉｎｅ  Ｄｒｏｎｐａ、ＥｏｓＦＰ、Ｋａｅｄｅ、Ｋｉｋｕｍｅ、ＰＡ−ＧＦＰ（参照２Ｐ切り替え）。
【００１６】
２Ｐ活性化（活性化可能な状態への切り替え）には、特に点スキャンモードで、しかしまたラインスキャンモードでも、好ましくはそれぞれ広視野蛍光励起および広視野検出、個々のまたは他に記述された本発明による装置および方法が使用される。
【００１７】
特に有利には、これはマーキングと組み合わせて所定の部位（ＲＯＩ）に作用する。この所定の部位は例えばプレイメージに捉えられてマーキングされる。これは特定の細胞のようにまたは他の興味深い生物学分野のように、以下によって行われる：
切り替えビームおよび／または励起ビームの衝撃のＡＯＴＦ制御、ＳＬＭ制御、またはＤＭＤ制御。
これら２次元および３次元（画像スタック内）は、他の挙げられた発明に従った方法および装置と併せて顕微鏡内に実現される。
切り替えビームの時間的な合焦
いわゆる時間的な合焦（ｔｅｍｐｏｒａｌ  ｆｏｃｕｓｓｉｎｇ、テンポラルフォーカシング）により、点スキャン式２Ｐ顕微鏡を使って、励起の正方形の強度依存性が強力な合焦との組み合わせて生じる深さ識別の効果でも広視野結像が達成できる。そのために、例えば（非特許文献１１）では短いレーザパルスが格子によってスペクトル分割される；この格子は、顕微鏡対物レンズを介して結像される。この場合、そこで元の短いレーザパルスを形成するために、パルスの異なったスペクトル成分が異なった光学的経路を取り、焦点面で初めて再び合流するという結果になる。これにより、パルスの最大出力は焦点面内でのみ最大であり、このことは上記の２Ｐ励起の正方形の強度依存性との関連で深さ識別という結果をもたらすが、広視野でのみとなる。
【００１８】
このことはＲＯＩ関数を備えたＳＬＭまたはＤＭＤ制御により、上述されたように結びつけられる。
２Ｐマルチスポットイメージング
ラスターされたマイクロレンズアレイまたは回転するマイクロレンズ盤、例えば（非特許文献１４）、およびその中の参照は、他の挙げられた方法および装置と共に顕微鏡内に実現される。
ラインスキャナによる切り替えおよび励起
ラインスキャナによる切り替えおよび励起は、他の挙げられた方法および装置と共に顕微鏡内に実現される。
【００１９】
これまでの従来技術では、以下に記述する装置および方法と比べて、発明に従った相乗効果および利点はこれまで達成されていない。
−  ＰＡＬＭおよび類似の方法は、２次元で高解像度の蛍光結像をもたらすが、ＴＩＲＦ励起の下で、カバーガラスインターフェース上のみである。
−  バイプレインまたは非点収差アプローチを使用すると、さらにｚ解像度を高めることが可能である；厚い試料の測定はしかし、特にＰＳＦの規模の層だけ測定可能であるために、困難である。その上またはその下の層は、顕微鏡でよくあるように画像スタックとして順番に測定可能である；なぜならしかし、（レーザ）広視野励起および広視野切り替えであるため、上側および下側の層はすでに現在の層を測定中に同じように切り替えられおよび／または退色するために、測定できないかまたは測定が制限されるからである。
−  蛍光色素分子を切り替えるためのテンポラルフォーカシング（非特許文献１２）が説明されており、２Ｐに匹敵するセクショニングが観察されている。しかしこれによって真の３Ｄ高解像度に達することはできない。
−  ２Ｐ切り替えは、点スキャニングｃｗレーザによって、広視野検出と組み合わせて説明されていた（非特許文献１３）。しかしここではセクショニングであるが、３Ｄ解像度は可能ではない。
−  光電スイッチをベースにしたすべての定位ベースの高解像度方法では、現在切り替えレーザの強度が画像ごとに、観察する試料領域の中で最高のマーキング密度に適合されなければならない。
独国特許第１９８２９９８１Ａ１号明細書：Ｒｅｇｉｏｎｓ  ｏｆ  Ｉｎｔｅｒｅｓｔ（関心領域）
独国特許第１９９３０５３２Ａ１号明細書：ＳＬＭ
独国特許第１０２５９４４３Ａ１号明細書：試料中のパルス合流
独国特許第１９８３５０７２Ａ１号明細書：ＤＭＤ
米国特許第５８６７６０４号明細書：構造化された照明
【先行技術文献】
【特許文献】
【００２０】
【特許文献１】米国特許第５８６６９１１号明細書
【特許文献２】独国特許第４４１６５５８Ｃ２号明細書
【特許文献３】米国特許第６６３３４３２号明細書
【特許文献４】独国特許第１０３２５４６０Ａ１号明細書
【特許文献５】国際公開第２００６１２７６９２号明細書
【特許文献６】欧州特許第１１５７２９７Ｂ１号明細書
【特許文献７】独国特許第１９８２９９８１Ａ１号明細書
【特許文献８】独国特許第１９９３０５３２Ａ１号明細書
【特許文献９】独国特許第１０２５９４４３Ａ１号明細書
【特許文献１０】独国特許第１９８３５０７２Ａ１号明細書
【特許文献１１】米国特許第５８６７６０４号明細書
【非特許文献】
【００２１】
【非特許文献１】ベツィヒ（Ｂｅｔｚｉｇ）ら、Ｓｃｉｅｎｅ  ３１３，１６４２−１６４５（２００６）
【非特許文献２】ヘス（Ｈｅｓｓ）ら、ＰＮＡＳ  １０４，１７３７０−１７３７５（２００７）
【非特許文献３】ヘス（Ｈｅｓｓ）ら、ＢｉｏｐｈｙｓＪ．  ９１，４２５８−４２７（２００６）
【非特許文献４】シュロフ（Ｓｈｒｏｆｆ）ら、ＰＮＡＳ  １０４，２０３０８−２０３１（２００７）
【非特許文献５】ルスト（Ｒｕｓｔ）ら、Ｎａｔ  Ｍｅｔｈｏｄｓ  ３，７９３−７９６（２００６）
【非特許文献６】エグナー（Ｅｇｎｅｒ）ら、ＢｉｏｐｈｙｓＪ．  ９３，３２８５−３２９０（２００７）
【非特許文献７】トプラク（Ｔｏｐｒａｋ）ら、Ｎａｎｏ  Ｌｅｔｔ．  ７，３２８５−３２９０（２００７）
【非特許文献８】ジュエット（Ｊｕｅｔｔｅ）ら、Ｎａｔｕｒｅ  Ｍｅｔｈｏｄｓ  ５，５２７（２００８）
【非特許文献９】フアング（Ｈｕａｎｇ）ら、Ｓｃｉｅｎｃｅ  ３１９，８１０（２００８）
【非特許文献１０】マリオット（Ｍａｒｒｉｏｔ）ら、ＰＮＡＳ  ２００８，イヴァンチェンコ（Ｉｖａｎｃｈｅｎｋｏ）ら、  ＢｉｏｐｈｙｓＪ．  ２００７，ワタナベ（Ｗａｔａｎａｂｅ）ら、ＯｐｔＥｘｐ．  ２００７，シュナイダー（Ｓｃｈｎｅｉｄｅｒ）ら、ＢｉｏＰｈｙｓＪ  ２００７
【非特許文献１１】オロン（Ｏｒｏｎ）ら、Ｏｐｔｉｃｓ  Ｅｘｐｒｅｓｓ  １３，１４６８（２００５）
【非特許文献１２】ヴァツィリ（Ｖａｚｉｒｉ）ら、ＰＮＡＳ  １０５，２０２２１（２００８）
【非特許文献１３】フェリング（Ｆｏｅｌｌｉｎｇ）ら、ＣｈｅｍＰｈｙｓＣｈｅｍ９，３２１（２００８）
【非特許文献１４】パウレイ（Ｐａｗｌｅｙ），  Ｈａｎｄｂｏｏｋ  ｏｆ  Ｂｉｏｌｏｇｉｃａｌ  Ｃｏｎｆｏｃａｌ  Ｍｉｃｒｏｓｃｏｐｙ（第３版）
【発明の概要】
【課題を解決するための手段】
【００２２】
本発明はさらに、独立請求項の特徴によって特徴づけられる。これは高解像度顕微鏡の中で、および方法によって実現され、物体の、特に個々の蛍光色素分子の２次元または３次元の位置調整のために、好ましくはマーキング分子によってマーキングされている試料の空間的に高解像度の蛍光顕微鏡検査法のために、マーキング分子は信号によって、それが活性化されたまたは切り替えられた状態で初めて蛍光ビームの放出のために励起可能であるように活性化が可能または切り替え可能であり、その際その方法は以下のステップを備えている：
１）試料中に存在するマーキング分子のただ１つのサブセットだけが活性化されるよう試料に信号を与える。その際試料に部分領域が存在し、その中で活性化されたマーキング分子が隣接する活性化されたマーキング分子に対して少なくとも１つの間隔を空けており、この間隔の大きさがあらかじめ定められた光学解像度から生じた長さより大きいかまたは同じである。
２）蛍光ビームを放出するための活性化された分子の励起
３）あらかじめ定められた光学解像度を使用した蛍光ビームの検出、および
４）ステップ３）で記録した蛍光ビームから単一画像を生成、その際蛍光ビームを放出するマーキング分子の幾何学的位置が、あらかじめ定められた光学解像度によって高められた空間解像度を使用して算出され、その際これらのステップが何度も繰り返され、およびそのようにして得られた複数の単一画像が１つの全体画像につなぎ合わせられる。
【００２３】
本発明はさらに、有利には、請求項１の装置ａ）からｑ）の少なくとも１つから成り立っている。
本発明はさらに、有利には、請求項２の手順ステップａ）からｏ）の少なくとも１つから成り立っている。
【００２４】
以下、模式図を使用して本発明を詳細に説明する。
【図面の簡単な説明】
【００２５】
【図１】解像度が限定された量の、活性化されたマーキング分子の模式図である。
【図２】空間解像度検出器上の、さまざまな活性化されたおよび活性化されていないマーキング分子の結像の模式図である。
【図３】ＰＡＬＭ方法による画像生成のフローチャートである。
【図４】図３のフローチャートに属する、図２の検出器上に結像されたマーキング分子の解説図である。
【図５】ＰＡＬ顕微鏡法のための顕微鏡の模式図である。
【図６】深さ選択的３Ｄ高解像度蛍光顕微鏡の２チャンネル仕様を模式的に示す図である。
【図７】ａ）中において点スキャニング切り替えレーザの切り替え強度の適合が、試料内でマーキング密度に行われ、ｂ）には、模式的な画像スタックがｘ−ｚ断面で示されている図である。
【図８】深さ選択的３Ｄ高解像度顕微鏡を模式的に示す図である。
【図８ａ】光源から試料までの光路が拡大して示されている図である。
【図９】スキャニングマイクロレンズディスク（ＳＭＬ）を備えた深さ選択的３Ｄ高解像度顕微鏡を模式的に示す図である。
【図１０】ａ）はラインセンサ付きの定位ベースの共焦点高解像度顕微鏡法の原理を示し、ｂ）は歯を刻んだピクセル構造付きセンサ、ｃ）は現状のピクセルジオメトリを備えた、歯を刻んだピクセル構造をマスキングによって実現するための例を示す図である。
【図１１】深さ選択的高解像度顕微鏡の可能な実施形態を模式的に示す図である。
【図１２】拡大された光源と空間分解の面検出器を備えた広視野ビーム路を示す図である。
【図１３】ａ）には、カメラ画像をｚ高解像度のための強度が同じ、４つの部分画像に分割するためのモジュールの別の有利な実施形態が示され、ｂ）には、モノリシックな実施形態で、３つのビームスプリッタキューブをＴ１からＴ３のために、および３つの鏡面仕上げのプリズムがＳ１からＳ３のために、側面から、上面から、および遠近法で示されている図である。
【図１４】図１３に従った実施形態と図１２に相応なスライド可能なプリズムとの組み合わせを示す図である。
【発明を実施するための形態】
【００２６】
図１は、蛍光励起されたマーキング分子１の模式図である。当然ながら蛍光検出には多数の励起が必要である。なぜなら各励起は厳密に１つの蛍光光子を供給し、ビーム検出は多くの蛍光光子の統合を必要とするからである。マーキング分子１から放出された蛍光ビームは、顕微鏡内で、物理学の原理に基づいて単に１つの制限された光学解像度によって検出可能である。たとえ顕微鏡が光学解像度の回折限界に達しても、蛍光を発するマーキング分子１の光子は依然として回折が原因で散乱し、それによって回折円盤２内で検出される。顕微鏡は、基本的に、マーキング分子１の幾何学的拡大の代わりに図１に黒い円として模式的に、１つの大きな物体を描写し、これは図１に回折円盤２によって具体的に示されている。回折円盤２の大きさは使用される顕微鏡法装置の質に依存しており、光学結像の点像分布関数の半減幅によって定義される。実際は当然ながら２次元の物体ではなく、回折体積であり、この中に蛍光光子が到達する。図１の２次元の表示では、これはしかし円盤として示されている。回折円盤という用語は、ここではしたがってまったく一般的に最大解像体積であり、使用されるレンズ系はこの体積を達成可能である。使用されるレンズ系はしかし、たとえそれが好ましいとしても、必ずしも回折限界で機能する必要はない。
【００２７】
そこでマーキング分子１を回折円盤２内により正確に定位することができるよう、上述の一般的に描写されたＰＡＬＭ方法が使用される。このことは個々のマーキング分子を活性化し、その際本明細書では、まったく一般的に、活性化という用語をマーキング分子の特定の蛍光特性の活性化と理解する。つまり蛍光励起可能性をオンに切り替えることも蛍光放出スペクトルの変化も意味し、このことは特定の蛍光特性のオンへの切り替えに相当する。ここに記述された実施例では、活性化は光学的活性化ビームによって生じる。しかしまた他の非光学的活性化メカニズムでも可能である。
【００２８】
活性化は、少なくともいくつかの活性化された分子があり、その重心が別の活性化された分子の回折円盤内になく、つまり光学解像度内に少なくともかろうじてまだ区別され得るように行われる。
【００２９】
図２は、模式的に検出器５上の典型的な状態を示しており、この検出器は光子を空間解像度的に統合する。図からわかるように、範囲３があり、この中では回折円盤が隣接するマーキング分子と重なり合っている。しかしこの場合、図２左の範囲３で見られるように、あらかじめ活性化されたマーキング分子だけが該当する。活性化されていないマーキング分子１’は、特定の蛍光ビームを放出し、このビームはマトリックス検出器５上で受容されるが捕捉されず、したがってなんら役割を果たさない。
【００３０】
範囲４では、例えばマトリックス検出器５の中央に位置している範囲４の中には、マーキング分子１が、その回折円盤２が他の活性化されたマーキング分子１のどの回折円盤とも重ならないように位置している。マトリックス検出器５の右側の範囲は、その中で回折円盤が活性化されたマーキング分子と重なり合っている範囲３が、重なり合っていない範囲４に対し完全に隣接して位置することができる。それに加えて、右の範囲４は、活性化されたマーキング分子１が活性化されていないマーキング分子１’に対する隣接関係が、検出にとって何の役割も果たさないことを明確にしている。なぜなら、そのようなマーキング分子１’はマトリックス検出器５によって検出される蛍光ビームを放出しない、つまり蛍光を発しないからである。
【００３１】
本明細書では高解像度の画像を意味する、機器によってあらかじめ設定された光学解像度を超えて詳細な画像を撮影するため、図３に模式的に示されたステップが適用される。
第１のステップＳ１では、切り替え信号を使用してマーキング分子のサブセットが活性化される；このサブセットは、特定の蛍光ビームを放出するために励起不可能である第１の状態から、特定の蛍光ビームを放出するために励起可能である第２の状態へと切り替えられる。当然ながら、活性化信号は選択的に非活性化を生じさせることもできる。つまりステップＳ１で逆の手順が使用されてもよい。基本的に、ステップＳ１の後でマーキング分子の１つのサブセットだけが特定の蛍光ビームを放出するために励起され得る。活性化乃至非活性化（以下では簡素化のために活性化の場合だけを描写する）は、使用されるマーキング分子に依存して行われる。例えばＤＲＯＮＰＡ、ＰＡ−ＧＦＰのような色素または可逆的に切り替え可能な合成色素（Ａｌｅｘａ／Ｃｙａｎ構造など）では、活性化が光学的ビームによって行われ、切り替え信号はしたがって切り替えビームである。
【００３２】
図３の下に示された図４は、ステップＳ１後の状態を部分図で示している。マーキング分子ｌ＿ｎのただ１つのサブセットが活性化される。このサブセットのマーキング分子は、完全に目立たせた黒点で表されている。残っているマーキング分子はこのステップで活性化されない。これらは図４の部分図でｌ＿ｎ＋１が付けられている。
【００３３】
活性化されたマーキング分子は、さらに第２のステップＳ２で蛍光ビームを放出するために励起され得る。蛍光色素として、好ましくは従来技術で公知の蛍光蛋白質、ＰＡ−ＧＦＰまたはＤＲＯＮＰＡなども使用される。活性化は、そのような分子では、４０５ｎｍの範囲のビームで、蛍光ビームのための励起は波長が約４８８ｎｍで、蛍光ビームは４９０ｎｍを上回る範囲で行われる。
【００３４】
第３のステップＳ３では、放出された蛍光ビームが、例えば記録された蛍光光子の統合により検出され、その結果図４でその下にある部分図に示された状態がマトリックス検出器５上に生じる。見て取れるように、活性化されたマーキング分子ｌ＿ｎの回折円盤は重なり合っていない。回折円盤の大きさは、マトリックス検出器５上の結像の光学解像度によって確定される。さらに図４の部分図ｂには、蛍光分子の（理論的な）回折円盤が描かれており、この回折円盤は活性化されていないグループｌ＿ｎ＋１に属している。なぜなら、これらの活性化されていないマーキング分子は蛍光ビームを放出しないため、それ自身の（理論的な）回折円盤内にある蛍光ビームは、活性化されたマーキング分子のサブセットｌ＿ｎの蛍光ビームの検出を妨害しない。
【００３５】
サブセットｌ＿ｎ中で、マーキング分子がもはや区別がつかないほどに重なり合う回折円盤を可能な限り少なくするため、活性化エネルギーは、サブセットｌ＿ｎがマーキング分子の総量の比較的小さい比率からのみ構成され、その結果統計的に多くのマーキング分子が、光学的装置によって解像可能な容積に関して区別がつくように調整される。
【００３６】
第４のステップＳ４では、蛍光を発するマーキング分子の位置が計算によって蛍光円盤の回折分布から求められ、それによって活性化されたマーキング分子の位置がわかる解像度が、図４の部分図ｃに示されたように、光学的装置の解像度を超えて高められる。
【００３７】
計算による特定の別法として、記録された蛍光ビームを非直線に増大し、それによって消耗が低減され、光学的装置を超えて解像度を高めることが、まったく原則的に可能である。非直線的な増大は、例えば関数Ｓ＝Ａ・ＦＮ（方程式１）またはＳ＝Ａ・ｅｘｐＦ／ｗ（ｗ＝１０−Ｎと共に（方程式２））で記述することができ、その際Ｆは蛍光信号の振幅、Ａはスケール係数およびＮは１より大きい整数である。パラメーターＳのＦに対する強い非直線的依存性が強い、つまり例えば方程式１または２でＮの値が高いと特に有利である。当然ながら、他の関数も使用され得る。基本的に非直線性は好ましくは、回折円盤の半減幅が、マーキング分子の位置情報のために取得した空間的な解像度と一致するように選択される。非直線的増大と並んで、非直線の減衰も使用され得る。ここで、蛍光信号はより小さい振幅または強度に減衰され、それに反して強い信号は少なくとも大幅には減衰されないままである。当然ながら非直線の増大と減衰の組み合わせも使用され得る。
【００３８】
第５のステップＳ５では、その位置情報の精度が高められたマーキング分子が、１つの単一画像にまとめられ、この単一画像の空間解像度は、光学解像度を超えて高められる。しかしこれには、その前に活性化されたマーキング分子のサブセットの情報だけが含まれている。
【００３９】
第６のステップＳ６では、単一画像が公知の方法で１つの全体像に調節される。続いてステップＳ１にジャンプして戻り、その際それまで蛍光を発していた分子は再び非活性化されなければならない。非活性化は、マーキング分子の種類に応じて、別途のビームによりまたは活性化状態の収束により、達成され得る。また、すでに結像したマーキング分子を励起ビームによって退色させることも可能である。
【００４０】
各サイクルにより、全体像に寄与する１つの別の単一画像が得られる。次のサイクルでは、マーキング分子の他のサブセット、例えば図４に示されたサブセットｌ＿ｎ＋１が活性化される。
【００４１】
ステップＳ１からＳ６までの複数のサイクルにより、個々のサイクルの単一画像から全体像が作られ、これら単一画像がマーキング分子の位置を空間解像度によって示し、この空間解像度は光学的結像の解像度に対して高められている。適切な回数反復することにより、高解像度の全体像が順次構成される。この方法における回折円盤数の削減は、好ましくは３つすべて空間次元で、ｚ方向に間隔を空けた複数の画像スタックが記録された場合に行われる。そうすれば、全体像には３つすべての空間方向に高解像度でマーキング分子の位置情報が含まれる。
【００４２】
図５は、試料７の高解像度の結像のための顕微鏡６を模式的に示している。試料は例えば色素ＤＲＯＮＰＡ（ＷＯ２００７００９８１２Ａ１参照）によってマーキングされている。活性化ならびに蛍光励起のために、顕微鏡６はビーム源８を備えており、このビーム源は個々のレーザ９および１０を持っており、これらレーザのビームはビーム統合器１１によって１つに合流される。レーザ９および１０は、例えば４０５ｎｍ（活性化ビーム）および４８８ｎｍ（蛍光励起および非活性化）でビームを放出してよい。色素も公知であり（例えば名称ＤＥＮＤＲＡの色素（グルスカヤ（Ｇｕｒｓｋａｙａ）ら、Ｎａｔｕｒｅ
Ｂｉｏｔｅｃｈ．，Ｂａｎｄ  ２４，ｐ．４６１〜４６５，２００６参照））、この色素では活性化および蛍光励起が１つの同じ波長で実施可能である。そのため１つのレーザで十分である。
【００４３】
音響的光学的フィルタ１２は、波長選択のために、および迅速な切り替えのために、または個々のレーザ波長を弱めるために使用される。レンズ系１３はビームをダイクロイックビームスプリッタ１４で対物レンズ１５の瞳に集め、その結果試料７上にはビーム源８のビームが広視野照明として入射する。
【００４４】
試料７内に生じる蛍光ビームは、対物レンズ１５によって集められる。ダイクロイックビームスプリッタ１４は、スプリッタが蛍光ビームを透過させるように設計され、その結果蛍光ビームはフィルタ１６を通って結像レンズ１７に到達し、その結果蛍光を発する試料７がすべて、検出器５上に結像される。
【００４５】
顕微鏡６の操作を制御するために、制御装置が備えられており、ここでは表示部１９とキーボード２０を備えたコンピュータ１８として形成される。方法ステップＳ２からＳ６は、コンピュータ１８内で行われる。その際マトリックス検出器のフレームレートは、測定の全体時間に重要な影響を及ぼし、その結果測定時間を短縮するためには、可能な限り高いフレームレートを備えているマトリックス検出器５が有利である。
【００４６】
図６から図１１の符号の意味は次の通りである：
Ｐｒ：試料
Ｏ：対物レンズ
Ｄ、Ｄ１、Ｄ２、Ｄ３、Ｄ４：ダイクロイックビームスプリッタ
Ｌ１〜Ｌ２：光源
Ｂｔ１、Ｂｔ２：画像スプリッタモジュール（マルチレベル検出）
Ｋ１、Ｋ２：面レシーバ（カメラ）
Ｓ  スキャンモジュール（模式的）、Ｘ／Ｙスキャナ付き
Ｓｘ：１次元スキャナ（Ｘ方向）
ＴＬ：結像レンズ
ＳＯ：スキャン対物レンズ
ＳＬＭ：光空間変調器（空間的光変調器）
Ｇ：格子
ＳＭＬ：マイクロレンズアレイ
ＳＥ：センサ装置の個別センサ
Ｂ１、Ｂ２  調整可能なスリット絞り
Ｌｄ１、Ｌｄ２：ライン検出器
ＺＬ：円柱レンズのようなアナモルフィックレンズ
ＳＦ：ライン状焦点用ビームフォーマ（アナモルフィックレンズ）
ほとんどの図面は共通して、図６から図１０でＰＡＬ−Ｍ方法の例に記述されているように、第１のレーザＬ１は色素を切り替える（活性化する）ために備えられていてよく、レーザＬ２、Ｌ３は試料Ｐｒ中の色素の蛍光励起／非活性化のために広視野で備えられていてよく、１つまたは複数のカメラ（好ましくはＣＣＤＥ）が広視野検出のために備えられていてよい。
【００４７】
開示中に入れられているのは、冒頭の従来技術で記述されているように、高解像度の顕微鏡画像を生成するための、時間に依存した色素の活性化／非活性化のための別の方法である。
【００４８】
マルチレベル検出においては、例えば特に画像スプリッタモジュールが図１２から図１４による、乃至アナモルフィック結像、ならびに従来技術（非特許文献７、８）の実施形態であると理解される。
【００４９】
「ＲＯＩ」（Ｒｅｇｉｏｎｓ  ｏｆ  Ｉｎｔｅｒｅｓｔ、関心領域）とは、自動でまたは手動で、例えば一覧画像を使ってあらかじめ選択した領域と理解され、この領域には選択的にビームが当てられてよい。
点スキャナによる２Ｐ切り替え付きバイプレイン検出スキーム
図６は、深さ選択的３Ｄ高解像度蛍光顕微鏡の２チャンネル仕様を（模式的に）示している（２つの異なる、同時に観察する蛍光色素分子、２つのカメラＫ１、Ｋ２を使用）。
【００５０】
点スキャニング式スキャンモジュール（Ｓ）は、照明方向にレーザ（Ｌ１）を切り替えのために、非直線の励起を介して、特に２Ｐ励起を介して行い、これはｐｓレーザダイオードまたはそれどころかｃｗダイオードレーザで範囲７８０から８３０ｎｍであってよく（または他の、２Ｐ切り替えプロセスに適切な波長）、コージエライトＤ１を介してレーザＬ１が照明ビーム路に連結されている。
【００５１】
広視野励起のためのレーザＬ２およびＬ３は、異なった波長で、Ｄを介して照明ビーム路に連結されている。蛍光検出は、Ｄ２を介してカメラＫ１、Ｋ２の伝達方向に行われ、Ｄ３を介して異なった波長の２つの蛍光色素分子のための２つのカラーチャンネルへ分割されている。各色のために、１つの画像分割が、画像スプリッタモジュール（Ｂｔ１およびＢｔ２）によって図１２から図１４に記述されているように行われ得る。
【００５２】
ここでは有利には、蛍光励起がレーザ広視野照明によって行われ、ならびにＰＡＬＭおよび同等の定位ベースの高解像度方法のように普通である、広視野検出が（高感度）カメラによって行われる。
【００５３】
検出はここでは有利には、バイプレイン（マルチレベル）検出スキーム（非特許文献７、８）、図１２から図１４を使って分子の高精度の定位のために、ｚ軸上でも行われる。
その際画像は有利には（図１２から図１４参照）、画像スプリッタモジュール（Ｂｔ１／２、図６）によって、２つの部分画像がそれぞれ半分の強度で生じ、その結合された物体レベルが例えば軸方向のＰＳＦの約半分だけずらされるように分割される。
【００５４】
この部分画像は、隣り合ってカメラセンサ（Ｋ１／Ｋ２）上に結像し、１つの蛍光色素分子の２つの部分画像からそのｚポジションを特定するために、（非特許文献７、８）に応じて評価され得る。
【００５５】
この画像スプリッタモジュールの特に有利な実施形態では、図１２から図１４の対象が以下の利点を備えている：
−  テレセントリシティ  −  ｚポジションの関数として結像基準に変化がない
−  検出器上へ平行に入射（ｚ依存のＰＳＦひずみがない）
−  調整可能なｚ分割およびそれによる、異なった対物レンズおよび埋込み媒体への適合可能性
−  分割をゼロに調節する可能性、その際
−  参照画像レベルが試料表面にあってよい；調節可能な分割は、試料の中へと実施される（およびカバーガラスの中へではない、公知の実施形態のように）
−  完全なセンサによる通常のカメラ結像を有効に利用するため分割を取り除く可能性。
【００５６】
特に有利には、図１２から図１４による、描写された画像スプリッタモジュールが達成した被写界深度範囲、２光子励起の最小の層厚さ（例えば７００ｎｍ）のような類似の範囲内にあり、あるいは図１２から図１４による装置によって変動して適合され得る。こうして活性化された（＝切り替えられた）層と高解像度で測定された層との最適な重なり合いが生じる。
【００５７】
その励起不可能な状態から励起可能な状態（ＰＡＬＭの前提条件）への、蛍光色素分子の切り替え（フォト変換）は、ここでは焦点に集められた点スキャニング励起ビームによって行われ、この励起ビームの波長が、切り替えプロセスが２光子（または３光子、一般的な多光子）の吸収プロセスによって行われるように選択され、他方でそのように切り替えられた蛍光色素分子の蛍光励起および蛍光検出が広視野で行われる。
【００５８】
ＰＡＬＭ方法における光電スイッチの確率的な活性化に基づき、ラスタライズされた活性化はその際必ずしもカメラの写真撮影と同期される必要はない。
２Ｐ切り替え（変換）は有利には、２光子顕微鏡法から公知の「セクショニング」、つまり焦点面にある分子のみの選択的な励起をもたらす。こうして、共焦点ピンホールを入れる必要なく、共焦点顕微鏡法と同等のｚ解像度が達成される。これにより、この方法は簡単にＰＡＬＭに必要なカメラ広視野検出と組み合わせられ得る。
【００５９】
加えて、共焦点の検出とは対照的に、共焦点の外の切り替えが回避される。このことは特に高解像度のｚスタックの記録のために重要である。
ＰＡＬＭ顕微鏡法のフォト変換（切り替え）に通常使用されている光電スイッチが必要とする強度が極度に少ないことが公知である。したがって２Ｐ効果は安価なｃｗレーザでも達成可能であり、２Ｐ顕微鏡法のための高価なショートパルスレーザに対して有利である。
【００６０】
２Ｐ切り替えプロセスのためにより高い出力を必要とする蛍光色素分子または応用乃至試料準備のために、ピコ秒モードで操作されるレーザダイオード（実施例）、または他の、安価なｐｓレーザシステムを使用され得る。
【００６１】
典型的な２Ｐ切り替え波長は、普通のＰＡＬＭ蛍光色素分子のために、７６０から８５０ｎｍにある。これは安価な半導体レーザがカバーできる範囲である。
図７では、ａ）中において点スキャニング切り替えレーザの切り替え強度の適合が、試料内でマーキング密度に行われる。定位された分子のレートがより高密度にマーキングされた範囲ＩＩに合わせるために、薄くマーキングされた範囲Ｉでは切り替え強度が高められる。７ｂは、模式的な画像スタックがｘ−ｚ断面で示されている。
【００６２】
スキャニング活性化レーザの目的に合わせたオン切り替えが、前もって手動でまたは自動で定義されたＲＯＩの中でのみ行われることにより、現在撮影している層の上または下で望ましくない切り替えがされないよう回避される。このことは、複数のそのような層から構成されるｚスタックを撮影する場合に特に有利である。
【００６３】
点スキャニング切り替えビームにより、ＲＯＩ（Ｒｅｇｉｏｎ  ｏｆ  Ｉｎｔｅｒｅｓｔ、参照：独国特許第１９８２９９８１Ａ１号明細書）に定義された、その蛍光色素分子内で活性化される；ＴＩＲＦ−ＰＡＬＭでは反対に常にすべての試料範囲が活性化される。こうして、ここで記述された方法を使用して例えば、切り替え強度が１つのフレーム内で最適に試料のマーキング密度に適合され得る（図７ａ）参照）。これにより、画像撮影時間が短縮されてよく、このことは特に３Ｄ画像スタックの撮影に重要である。加えて、異なった蛍光色素分子によってマーキングされた試料範囲の定位レートも、互いに適合されてよい。
【００６４】
別の利点は、現在撮影しているｚ層の上または下で試料範囲の分子の望ましくない切り替えの最小化されてよく（上記の２Ｐ励起の内在するセクショニングに加えて）、それは活性化ビームが試料範囲内でのみ、染色された構造によってまったくオン切り替えされる（図７ｂ））。
【００６５】
両方の効果は、それが焦点に集められてスキャンされる場合、原則として従来型の１Ｐ切り替え源によっても達成される。とはいえ、非常に有利な２Ｐ吸収のセクショニングがそれによって達成されない。
【００６６】
２Ｐ切り替え用の個数制御のフィードバックのための連続的な手順のために有利な方法は、発明に従って実施することができる。
これによって、不均質に着色された試料が異なった試料範囲で、比較可能な定位密度に迅速に達し、それによって撮影時間の加速が可能になる：
カメラ画像の撮影後（オプション：リアルタイム定位）、
ＲＯＩごとに定位された分子の数量または数密度の特定が行われ、
ならびに｛面ＲＯＩ：Ａｎｚａｈｌ｝とＰＳＦの比較が以下のように行われる：
ＰＳＦより｛面ＲＯＩ：Ａｎｚａｈｌ｝がより大きい場合、２Ｐ切り替えビームの強度はこのＲＯＩのために高められる
ＰＳＦと｛面ＲＯＩ：Ａｎｚａｈｌ｝が同じ（範囲内）場合、２Ｐ切り替えビームの強度はこのＲＯＩのために低減される
適切な強度変調がスキャニング２Ｐ切り替えビームに出力され、次のカメラ画像が撮影される。
２Ｐ切り替えのための、ＲＯＩ制御のフィードバックのための発明による方法：
現在測定している試料レベルの上または下で試料範囲の分子の望ましくない切り替えが、以下のステップで最小化される：
−  １つまたは複数のＲＯＩの定義は、自動または手動で、より高い切り替え強度および／または励起強度で撮影された第１の画像を使用してまたは他のコントラスト関数によって得られた画像（ＤＩＣ）を使用して行われる
−  スキャニング２Ｐ切り替えビームに適切な強度変調を出力、その結果あらかじめ設定されたＲＯＩの範囲にだけ切り替えビームが「オン」になる。
【００６７】
−  あらかじめ定義されたこのＲＯＩの範囲内で、９．３．２にあるように、切り替え強度の適合が分子の計数率に対して行われてよい。
記述された切り替え強度の調整は、同時に測定され、異なった蛍光色素分子で染色された試料には特に有利である。
【００６８】
こうして、異なった分子の、場合によって異なった切り替えレートが、切り替え強度の空間的な適合に合わせられ、それによって多色測定のための撮影時間が低減されてよい。ＲＯＩは、試料特徴に基づいて定義されてよく、またはしかし、フィールドに適した大きさを持つ規則正しいラスターとして画像の上に置かれてよい；後者は、特に広視野切り替え照明（ｔｅｍｐｏｒａｌ  ｆｏｃｕｓｓｉｎｇ、テンポラルフォーカシング、ｓｐｉｎｎｉｎｇ  ｍｉｃｒｏｌｅｎｓ  ｄｉｓｃ、マイクロレンズディスク回転）を備えた以下の実施形態にとって有利である。
レンズスキャナを使用した２Ｐ切り替え付きバイプレイン検出スキーム
蛍光色素分子の確率的なサブセットのＰＡＬＭに必要な活性化をカメラフレームごとに達成するために、点スキャナの非常に高いスキャン速度の特に迅速な画像撮影レートが必要であり得る。２Ｐ切り替えのためのラインを使用することで、スキャナ速度が相応して低下する。ラインと結びついている、ピーク強度の低減は、必要となる切り替え強度が小さいことを理由に甘受し得る。
【００６９】
２Ｐ励起の図６にある点スキャナの代わりに、ラインスキャナも使用され得る（図１１も参照）。
色素を切り替えるために必要な強度が少ないことにより、スキャンされたラインを２Ｐ切り替えプロセスと合わせて使用することも可能になる。
【００７０】
このラインは、例えばアナモルフィックレンズ系によって生成され得る、および１次元スキャナを使用して物体を通って動かされ得る。
利点は、迅速なスキャンが可能なことである。なぜなら１次元スキャンだけが必要だからである。
【００７１】
活性化が確率的に行われ、広視野内で検出されるという理由で、ラインは画像撮影と同期されてはならない。
テンポラルフォーカシングを使用した２Ｐ切り替え付きバイプレイン検出スキーム
図８は、深さ選択的３Ｄ高解像度顕微鏡を（模式的に）示しており、これは以下を備えている；活性化レーザとしてのＬ１、Ｌ２、励起レーザとしてのＬ２、格子Ｇ：格子；ＳＬＭ：光空間変調器（これに関して例えばＤＥ１９９３０５３２Ａ１を参照）；Ｄ１からＤ４はダイクロイックビームスプリッタ乃至ユニファイヤー、Ｂｔ１および２：画像スプリッタモジュール、それに対してＫ１およびＫ２はカメラ。
【００７２】
図８ａには、光源から試料までの光路が拡大して示されている。
照明ビーム路は実線で、結像は点線で示されている。
これは、図９の表示にも当てはまる。
【００７３】
対物レンズＯは、模式的に１つのレンズで示されている。
格子は中間画像内にあり、次の中間画像へ結像され（点線）、その中にはＳＬＭがある。これは再度、試料へ結像される。
【００７４】
それに対してレーザの照明束（実線）は「ずらされ」、この中ではシャープな中間画像距離（格子、ＳＬＭ、試料）内には照明スポットがある。スポットはそれぞれ最大でピントが外れている。
【００７５】
ここではやはり、ＲＯＩ関数が上述のように実施されるが、違いは各切り替え強度がここではＳＬＭを介して中間画像内で調整されることである。
この装置は可動部品のないこと（非スキャニング）で有利であり、前述のスキャン装置と比べて同程度の柔軟性を達成する。
【００７６】
深さ選択はここでは２Ｐ切り替え効果により、時間的合焦との組み合わせで達成される（非特許文献１１およびその中の参照）。そのために、ショートパルスレーザＬ１の膨らんだビームは、２Ｐ励起の切り替えプロセスに適した波長によって格子Ｇが照らされる。格子の照らされた範囲は、試料内に写し取られる。格子はレーザパルスのスペクトル成分を分割し、その結果元の短いパルス形状は結像の焦点（および場合によって中間画像）だけに到達され、相応してそこだけに、高いピーク強度が２Ｐ活性化プロセスにある。
【００７７】
非特許文献１１に示されたように、テレスコピックビーム路は試料中で初めて試料（テレスコープの画像レベル）ショートパルスに回復される。
ＳＬＭが分割された波長のモジュレーターとして、結像の中間画像中に位置決めされ、そこでは元々のパルス形状が再び作り出される。
【００７８】
ＳＬＭ要素の選択的切り替えによりＲＯＩが生じる。
ここではＲＯＩ関数が広視野励起でも（切り替えに加えて）行われてよい。そのために、レーザ広視野励起がＳＬＭによってもたらされなければならないかまたは固有のＳＬＭが得られなければならない；それから、ＲＯＩの別々の定義が励起および切り替えのために可能である。この実施形態は図８に、２色励起および検出のために示されている。
【００７９】
ＳＬＭの別法として、ＤＭＤ（Ｄｉｇｉｔａｌ  Ｍｉｃｒｏｍｉｒｒｏｒ  Ｄｅｖｉｃｅ、デジタルマイクロミラーデバイス）アレイも使用され得る；構成は図８と同様で、ＤＭＤアレイはここではしかし反射が使用されなければならない（やはり中間画像中）。
点スキャナによる２Ｐ切り替え付き非点収差／円柱レンズ検出スキーム
構成は図６、８、９に相当するが、円柱レンズＺＬが検出ビーム経路中に、Ｂｔ１および／またはＢｔ２の代わりに使用されている。
【００８０】
これは図６、８、９中ではオプションで矢印によって示されている。
回転するマイクロレンズディスクを使用した２Ｐ切り替え付きバイプレイン検出スキーム
図９には、スキャニングマイクロレンズディスク（ＳＭＬ）を備えた深さ選択的３Ｄ高解像度顕微鏡が（模式的に）示されている。それ以外では名称は図８と同じである。
【００８１】
照明が２ＰレーザＬ１によって例えば８００ｎｍで（例えばｐｓレーザダイオード）で行われる。マイクロレンズアレイ（ｓｃａｎｎｉｎｇ  ｍｉｃｒｏｌｅｎｓ  ａｒｒａｙ）（ＳＭＬ）へのビーム適合後、（回転する）マイクロレンズの焦点は、中間画像を介してその中にあるＳＬＭと共に試料内に結像される。これによって迅速にスキャンされた２Ｐ点光源が蛍光色素分子の切り替えのためにＲＯＩ関数によってＳＬＭを介して実現される。
【００８２】
さらに、レーザ広視野照明の連結が蛍光色素分子を励起するためにコージエライト１（Ｄ１）を介して行われる。検出およびｚ情報は上記の例と一致する。
利点は：
−  速さ、
−  および広視野照明による共焦点の深さ識別、ＲＯＩ関数との組み合わせでＳＬＭまたはＤＭＤによる。
レンズスキャナ付き共焦点高解像度顕微鏡
記述された定位ベースの高解像度方法は、原理上標準ＬＳＭでは実施できない：サブＰＳＦ精密定位は、同時の空間的なオーバーサンプリングにより、カメラピクセルによって行われなければならない。なぜなら分子は限定された時間だけ蛍光を発するかあるいは予測不能な時点に（確率的に）活性化されるからである。これにより、分子の重心が連続的に特定される方法（ラスター法）が排除される。
【００８３】
これまで実践されたような広視野結像ではやはり、望ましい深さ選択はＬＳＭの共焦点結像によって省略する。
ここで提示される装置は特殊なラインセンサ（図１０）から成り、対応する顕微鏡（図１１）はしかし、共焦点ラインスキャンと定位ベースの高解像度との有利な組み合わせを可能にし、それによってＰＡＬＭのような高解像度顕微鏡法が共焦点顕微鏡深さ選択との組み合わせで可能になる。
【００８４】
レンズの焦点深度を高めるため、切り替えおよび／または励起のためのライン照明が多光子プロセスによっても行われる。
このアプローチは、ここで深さ選択が共焦点線結像によって達成されることによって、図６と異なっている。
【００８５】
図１０：ａ）はラインセンサ付きの定位ベースの共焦点高解像度顕微鏡法の原理を示し、１０ｂ）は歯を刻んだピクセル構造付きセンサ、１０ｃ）は現状のピクセルジオメトリを備えた、歯を刻んだピクセル構造をマスキングによって実現するための例である。
【００８６】
図１０ａ）は、２行ラインセンサ（例えば機械視覚にしばしば使用されているようなラインスキャンカメラのセンサ）を使用して原理を説明している。
横向きの定位（行方向に沿って）は、周知のように、重心形成または適切な関数（１Ｄ−ガウス）を当てることで行われてよく、その際、両方の行の、相互に入り込んでかみ合っているピクセルを考慮に入れなければならない。行方向に直交している定位は、向かい合っているピクセル行に対応するピクセルの差違信号の形成により行われてよい。ここでこの原理は位置敏感検出器（ｐｏｓｉｔｉｏｎ  ｓｅｎｓｉｔｉｖｅ  ｄｅｔｅｃｔｏｒ、ＰＳＤ）に相当する。ＰＳＤ関数が保証されるよう、共焦点スリット絞りがエアリユニットよりも少し多く開かれなければならない。
【００８７】
このアプローチでもたらされてよい、ｘ方向およびｙ方向の異なった定位精度は、別法のセンサ設計によって適合され得る。図１０ｂ）は、２つの相互に入り込んでかみ合ったコームを備える可能なセンサ構造を示している。
【００８８】
ここでは、ｙ座標を特定するためにあらかじめ算出されたｘポジションが評価され、考慮されなければならない。なぜなら、歯を刻んだピクセル構造により、ＰＳＤ関数（ｙ重心特定）は定位するべき分子のｘポジションに依存するからである。
【００８９】
ラインの結像は、ＰＳＦ幅がちょうど１つのピクセル行の幅と一致するように選択される；これはしかし、相互に入り込んでかみ合ったコーム構造の中央にセンタリングされる。
【００９０】
図１０ｃ）は、従来型の、正方形のピクセルジオメトリをベースにした別法の実現提案を示している。ここでは、このピクセルオリエンテーションを保つために例えば通常のセンサが４５度回転されてよい。原理的に、これに加えて面センサが使用されてもよく、この面センサは所望のラインを除いて検出のためにマスキングされる。このマスクは可変の絞りとして仕上げられてもよい。
【００９１】
本発明に従い、複数の有利な２つのピクセル行が評価のために使用される。１０ａ）から１０ｃ）では、それぞれ模式的に点線で分子が描かれており、これは複数の検出器要素によって把握される。
【００９２】
この目的のために、２つの行が同時に把握されるよう、レンズスキャナの既存のスリット絞りがいくらか開かれる。１０ａおよび１０ｂでは、これによって把握されたスリット画像が示されている。図１０ｃ）では、把握された範囲が例として、その上およびその下にある非表示範囲と比べていくらか明るく示されている。
【００９３】
有利には隣り合っている、それぞれ１つの信号を把握する４つの検出器要素から相互に減法することにより、把握された分子の重心が正確に特定され得る（数量と減法結果の符号により）。
【００９４】
それに加えて、深さ情報が形状および大きさから、例えば前に引用した方法によってもたらされる。
図１１はこのセンサ原理をベースにした、深さ選択的高解像度顕微鏡の可能な実施形態を模式的に示している。
【００９５】
図１１は、例えば２色検出のための、レンズスキャナを備えた深さ選択的２Ｄ高解像度共焦点顕微鏡を（模式的に）示している。切り替えレーザおよび励起レーザ（Ｌ１からＬ３）は、ビームフォーマ（ＳＦ）によってライン形状にされ、空間方向もラスタライズされる（スキャナＳｘ）。検出では、ラインが対応するスリット絞りによって共焦点にライン検出器（Ｌｄ１、Ｌｄ２）上に、本願で前述されたように結像される。Ｄ１からＤ４は、ダイクロイックビームスプリッタ乃至ダイクロイックユニファイヤーである；
照明のためのラインは、ビーム成形レンズ系ＳＦ（円柱レンズ）によって制御され、空間方向にラスタライズされる（スキャナＳｘ）。蛍光はスリット絞りＢ１およびＢ２を通って（ここでは実施例が２つのカラーチャンネルを備えている）共焦点で図１０に示されたようなライン検出器Ｌｄ１およびＬｄ２に結像される。
【００９６】
図１２から図１４は、有利な可変画像スプリッタモジュールＢｔ１、Ｂｔ２（例えば図６参照）がｚ分割のために示されている。
符号の個別の意味：
Ｅ１、Ｅ２：物体レベル
ＢＭ：画像スプリッタモジュール
Ｏ：対物レンズ
Ｄｉｃ１：メインカラースプリッタ
Ｌ１  光源
ＥＦ：エミッションフィルタ
ＴＬ：結像レンズ
ＳＰ：偏向ミラー
Ｂ：絞り（テレセントリック絞り）
Ｌ１、Ｌ２：レンズグループ
Ｄｉｃ２：オプションのフェードアウト用カラースプリッタ
ＢＳ：ビームスプリッタキューブ
Ｐ１  重偏向プリズム、光学軸に対して調整可能に垂直に
Ｐ２  偏向プリズム
ＤＥ  広視野検出器
Ｓ１、Ｓ２：センサの半分
ｅ１、ｅ２  画像レベル
図１２は、拡大された光源と空間分解の面検出器、例えばＣＣＤカメラを備えた広視野ビーム路を示している。
【００９７】
光源Ｌ１の光は、Ｄｉｃ１および対物レンズＯを通って試料Ｐｒに到達する（反射する）。反射するおよび蛍光を発する試料光は、対物レンズを通って検出の方向に到達する。
スプリッタＤｉｃ１のところでおよびフィルタＥＦを通って、所望の光の選択、ここでは反射光の抑制が行われ、つまり蛍光だけが検出方向に到達する。
【００９８】
ＳＰ、Ｌ１、Ｌ２を通って試料光は本発明による配置内でＢＳ、Ｐ１およびＰ２から出て検出器ＤＥ上に到達する。
Ｅ１およびＥ２は、試料Ｐｒ中の異なった物体レベルである。
【００９９】
図１２ａは、発明に従った可変画像スプリッタモジュールＢＭの拡大図である。試料Ｐｒの画像はビームスプリッタキューブＢＳを通って検出器ＤＥ上で２つの部分画像に分割される。プリズムＰ１は、２つの物体レベルの分割を調整するために、モータ駆動で光学軸に垂直にずらされる。Ｐ２（固定）により、ずらされた部分図は再び連続したビーム路に入射し、Ｐ２によって空間的に、ビーム路に対してずらされ、つまりＤＥ上で横へずらされる。
【０１００】
Ｐｒ内の１つおよび同じ物体レベル、例えばＥ１の画像レベルｅ１からｅ３に基づき、本発明がさらに説明される：
点線で表されたＰ１のポジションは、ＢＭから可能な最短距離の位置を示している；これによって得られた画像レベルｅ３は検出器ＤＥの背後にあるはずである。
【０１０１】
偏向されていない部分図の画像レベルｅ２は、センサ上にある（センサの部分領域Ｓ２）。プリズムＰ１を外側へ、図１２ａの下側の位置へずらすことで、経路が延長され、画像レベルｅ１が前側に移動する（光経路に対して逆に）。その結果、物体レベルＥ２にある物体（分子）が、センサの半分Ｓ２の上でシャープになり、センサの半分Ｓ１がピントが外れて結像される。同様のことが物体レベルＥ１上乃至Ｅ１とＥ２の間にあるにある物体でも当てはまる。
【０１０２】
Ｅ１はシャープにＳ１上に、Ｅ２はシャープにＳ２上に、そのほかすべてはピントが外れているはずである（同じプリズムポジションで）。
図１２ｂでは、分子１、２、３の拡大された点画像が、それぞれ物体レベルＥ１、Ｅ２からセンサの半分Ｓ１およびＳ２上へ、示されている。
【０１０３】
ここからわかるのは、Ｅ１およびＥ２ではそれぞれ異なったレベルに配置されている分子（Ｅ１の１およびＥ２の３）がＳ１（分子１）で、およびＳ２（分子３）でシャープに検出され、その一方で分子２がそれぞれ同じに、ピントが外れて検出される。なぜならそれは明らかにＥ１とＥ２の間にあるからである。
【０１０４】
検出器セクション上の分子の大きさから、その試料中のｚ方向の正確な位置も推論され得る。
図面中にはさらに、両方物体レベルＥ２上にある２つの分子のビーム経路が示されている。
【０１０５】
絞りＢは半分に減らされた画像セクション（センサの半分Ｓ１およびＳ２の大きさに相当）を定義し、およびこの範囲の外から光が２つの部分ビーム経路に混ざることを阻止する。
【０１０６】
２つの部分画像への分割は、５０／５０ビームスプリッタキューブＢＳで行われる。
向きを変えられた部分図を直接結像した部分図内で異なった画像レベルに焦点を集めるタスクは、プリズムＰ１によって行われる。このプリズムＰ１は、空中の対応する経路と比較して、対応する光束の後部焦点距離を延長する；したがってこのプリズムは、可能な限り大きな作用範囲を得るために、好ましくは高屈折ガラスから作られている。この光束はプリズムＰ２を通って再び直接ビーム路に対して平行に入射され、および画像センサＤＥ上のセクションＳ１に偏向される。
【０１０７】
プリズムＰ１内の最後のレンズ系／レンズＬ２の後ろで後部焦点距離を延長することにより、偏向された部分図の経路長が不可避的に大きくなったにも関わらず、異なった物体レベルＥ１、Ｅ２からの両方の部分画像が同時にシャープに検出器ＤＥ上に結像されるよう、プリズム長さを選択され得る。
【０１０８】
プリズムＰ１の方法により、直接のビーム路の光学軸に対して垂直に、両方の部分画像の焦点レベルのｚ移動は、異なった物体レベルから）試料中に調整され得る。
こうして分割は例えば有利には、異なった対物レンズに適合され得る。
【０１０９】
このことはここで、システムの後合焦なしでも可能である。なぜならシステムは「ゼロ」からの移動が調整され、特にカバーガラス表面観察時に第２の焦点レベルが試料中に（およびカバーガラス中にではなく）動かされるよう設計されていたからである。
【０１１０】
プリズムＰ１のガラス経路を省略し、光学軸に対して垂直に移動可能な共通の偏向ミラーをただ２つだけ使用した別の装置では、有利には、２つの異なった物体レベルがシャープにカメラ上に結像できるはずである。
【０１１１】
しかし横側の経路が理由で、ゼロ調整ができないはずであり、ミラーの横方向への出発は常にさらに「カバーガラス」内へと動くはずである。試料空間内の第２の物体レベルの変動のために、物体レベル分割をミラーによって調節しなければならないはずで、対物レンズ側でカバーガラスが再びシャープに、方向転換を通って検出器上に結像するように後合焦される。しかし、この説明された装置は、それにもかかわらず個々に開示される発明の範囲内にある。
【０１１２】
プリズムＰ１を異なったガラス経路を持つ他のプリズムと交換することは、本発明に従い可能である。
ビームスプリッタＤｉｃ２の左にあるレンズ系Ｌ１と共にレンズＬ２を通って物体から検出器上への結像は、全体として有利にはテレセントリックである。
【０１１３】
調整可能な、好ましくは長方形の絞りＢは、中間画像内で、長方形の、およびＰ１、Ｐ２を通って分割された画像領域を定義するため、および蛍光およびこの新領域の外のフィールド範囲からの散乱光を抑制するために使用される。
【０１１４】
多色実験のために、第２のエミッション長がカラースプリッタＤｉｃ２を通って出射されてよく、および第２の、好ましくは同じｚ分割モジュールおよび別の検出器を使用してこのビーム路が同じように高解像度の定位のために使用されてよい。
【０１１５】
場合によっては、対物レンズの軸方向色収差または個々の分子のｚ定位に影響のある、色に関する他のエラーは、第２のカラーチャンネルのために分割を適合することによって補正され得る。
【０１１６】
図１３ａ）は、カメラ画像をｚ高解像度のための強度が同じ、４つの部分画像に分割するためのモジュールの別の有利な実施形態を示している。
図１３ａの左は、独立したミラーおよびビームスプリッタを備えた実施形態を示している。第１のスプリッタＴ１、ここでは２５／７５スプリットは、伝送および反射に関して光の１つの部分を、検出器ＤＥ４の面Ｑ１上に偏向する。
【０１１７】
第２の部分はＴ１で反射され、ミラーＳ１を通って第２のスプリッタＴ２の方向に６６／３３の比率で偏向される。これにより光の１つの部分がＤＥ４の面Ｑ２の方向に通り、１つの部分がミラーＳ３の方向に反射し、このミラーが光を５０／５０スプリッタＴ３の方向に偏向する。１つの部分はＴ３を通ってＤＥ４の面Ｑ３の到達し、１つの部分がＳ３を通ってＤＥ４の面Ｑ４の方向に偏向される。
【０１１８】
ｚレベルの分割により、モータ駆動の仕様では、ビームスプリッタキューブのそれぞれ１つの「キューブ長」分の、４つの均等に移動された画像レベル乃至物体レベルが生じ、その際ＤＥ４の四半分Ｑ１で画像が直接の通路内に見え、四半分Ｑ２は「規格距離」（＝モノリシック構造右のビームスプリッタキューブ長）だけ、四半分Ｑ３が２つだけ、および四半分Ｑ４が３つの距離だけずらされた画像である。
【０１１９】
ここで制限なしに示された３ビームスプリッタの分割比率は、４つすべての四半分が好ましくは同じ強度になるよう働く。
図１３ｂは、モノリシックな実施形態で、３つのビームスプリッタキューブをＴ１からＴ３のために、および３つの鏡面仕上げのプリズムがＳ１からＳ３のために、側面から、上面から、および遠近法で示されている。
【０１２０】
図３ａ）およびｂ）の装置は、図１２を使用して記述されたように、有利にはテレセントリック検出ビーム経路にも適している。
図１３の発明に従った装置の利点は特に、４つの試料レベルからの４つの画像によって、有利にはｚ決定のための４つのサポート箇所があり、それによってより正確なｚ決定がより大きい作用範囲で可能であることでもある。
【０１２１】
高感度ＥＭＣＣＤカメラの正方形のセンサフォーマットはより一層効率的に利用される。
図１４では、有利には、図１３に従った実施形態と図１２に相応なスライド可能なプリズムとが組み合わさる。
【０１２２】
右はセンサ方向からの図であり、左は平面図である。
ミラーＳ１からＳ３の代わりに、図１４ではプリズム１から３が備えられ、これらのプリズムは光経路が光学軸に平行に、媒体よってより高い光学的密度に定義されている。図１３と比べて、ここでは追加の偏向要素１から３を各部分ビーム経路への再入射のために使用する。
【０１２３】
光学軸（光方向）に対して垂直に調整可能な３つのプリズム１から３はそれぞれ、センサのそれぞれ１つの四半分Ｑ２から４（図１３）を備え、第４の四半分Ｑ１は直接通路で露光される。これで各プリズムは、異なったレベル層に調節され得るはずである。
【図１】
0006018263.tif 000002
【図２】
0006018263.tif 000003
【図３】
0006018263.tif 000004
【図４】
0006018263.tif 000005
【図５】
0006018263.tif 000006
【図６】
0006018263.tif 000007
【図７】
0006018263.tif 000008
【図８】
0006018263.tif 000009
【図８ａ】
0006018263.tif 000010
【図９】
0006018263.tif 000011
【図１０】
0006018263.tif 000012
【図１１】
0006018263.tif 000013
【図１２】
0006018263.tif 000014
【図１３】
0006018263.tif 000015
【図１４】
0006018263.tif 000016